(57)【要約】【課題】  アンテナが人体に近接することにより生ずる特性劣化を表示し、使用者が容易に電波状態を向上させることが可能となる無線通信装置を提供する。【解決手段】  第１の発光部１０７と第２の発光部１０８とは、上側筐体１０２上における第１のアンテナ１０５の近傍と第２のアンテナ１０６の近傍とにそれぞれ配置され手いる。無線通信装置１０１は、第１のアンテナ１０５および第２のアンテナ１０６が人体に近接した際に生じる特性劣化量を検出し、第１の発光部１０７及び第２の発光部１０８を点灯または消灯させ、いずれのアンテナの特性が劣化しているかを出力する。【選択図】  図１
2007036346.tif 000002
【特許請求の範囲】
【請求項１】
無線通信装置であって、
少なくとも一つのアンテナ部と、
少なくとも一つの出力部とを備え、
人体近接による前記アンテナ部の特性劣化量を前記出力部に出力させる、無線通信装置。
【請求項２】
前記出力部は、発光素子を含み、
前記発光素子の点灯の有無によって、前記特性劣化量を前記出力部に出力させることを特徴とする、請求項１に記載の無線通信装置。
【請求項３】
前記出力部は、その点灯色が変化し得る発光素子を含み、
前記発光素子の前記点灯色によって、前記特性劣化量を前記出力部に出力させることを特徴とする、請求項１に記載の無線通信装置。
【請求項４】
前記出力部は、発光素子を含み、
前記発光素子の点滅または点滅間隔によって、前記特性劣化量を前記出力部に出力させることを特徴とする、請求項１に記載の無線通信装置。
【請求項５】
前記出力部は、各々が発光素子を有する複数の領域を含み、
前記特性劣化量に応じて、前記出力部の点灯面積を変化させることを特徴とする、請求項１に記載の無線通信装置。
【請求項６】
前記出力部は、振動素子を含み、
前記特性劣化量に応じて、前記振動素子による振動を変化させることを特徴とする、請求項１に記載の無線通信装置。
【請求項７】
前記出力部は、音を出力することができる音孔部またはスピーカを含み、
前記特性劣化量に応じて、前記出力部から出力する音の音量または音の種類または音の出力間隔を変化させることを特徴とする、請求項１に記載の無線通信装置。
【請求項８】
前記出力部は、ディスプレイを含み、
前記特性劣化量を前記ディスプレイに表示させることを特徴とする、請求項１に記載の無線通信装置。
【請求項９】
前記無線通信装置は、前記特性劣化量の測定を開始させる少なくとも１つのスタートボタンを更に備えることを特徴とする、請求項１から請求項８のいずれかに記載の無線通信装置。
【請求項１０】
前記スタートボタンは、タッチパネルを含み、
前記タッチパネルによる物体の接触の検知に基づいて、前記特性劣化量の測定を開始させることを特徴とする、請求項９に記載の無線通信装置。
【請求項１１】
前記スタートボタンは、温度センサを含み、
前記温度センサによる温度変化の検知に基づいて、前記特性劣化量の測定を開始させることを特徴とする、請求項９に記載の無線通信装置。
【請求項１２】
前記スタートボタンは、光センサを含み、
前記光センサによる光量変化の検知に基づいて、前記特性劣化量の測定を開始させることを特徴とする、請求項９に記載の無線通信装置。
【発明の詳細な説明】
【技術分野】
【０００１】
本発明は、無線通信装置に関し、より特定的には、移動体通信用端末機器等のマイクロ波帯の電波によって無線通信を行う無線通信装置に関する。
【背景技術】
【０００２】
近年、携帯電話端末等の携帯無線通信装置の小型化、薄型化が急速に進んでいる。また、携帯無線通信装置のアンテナの本体への内蔵化が進められている。無線通信装置の一例である携帯電話は、主に、人体に近接した状態で使用される。この場合、次のような問題がある。
【０００３】
携帯電話のアンテナが人体に近接すると、アンテナのインピーダンスが変化する。アンテナのインピーダンスが変化すると、アンテナと送受信回路とのインピーダンスの整合がずれてしまう。インピーダンスの整合がずれる結果、携帯電話の特性が劣化するという問題がある。また、携帯電話のアンテナが人体に近接すると、電波の一部は人体に吸収されるため、携帯電話の特性が劣化してしまうという問題もある。
【０００４】
また、携帯電話の特性変化は、アンテナと人体とが近接する以外の要因によっても生じる。伝搬路の遮へいによって多数の回折波、反射波、散乱波が重なり、マルチパスによるフェージングが伝搬劣化の要因となる。
【０００５】
携帯電話のこれらの特性劣化は、信号強度を低下させ、また、信号の誤り発生の原因となり、結果として通信品質を劣化させてしまう。
【０００６】
図１８は、特許文献１に記載されている従来の無線通信装置を示すブロック図である。図１８に示される無線通信装置は、アンテナアレイ１８０１と、第１受信回路１８０２と、第２受信回路１８０３と、受信判定回路１８０４と、ドライバー回路１８０５と、発光体１８０６と、送信回路１８０７と、復調回路１８０８とを備える。
【０００７】
電波の送信時においては、送信回路１８０７は、ドライバー回路１８０５に対し送信信号を出力する。ドライバー回路１８０５は、発光体１８０６に含まれる複数のランプの内、送信時のために割り当てられたランプ点灯させ、電波の送信が完了するまで、当該ランプの点灯を継続させる。
【０００８】
一方、電波の受信においては、アンテナアレイ１８０１に含まれる２本のアンテナを介して受信された信号の各々は、第１受信回路１８０２と第２受信回路１８０３とにそれぞれ入力される。受信判定回路１８０４は、第１受信回路１８０２及び第２受信回路１８０３に入力された信号の受信レベルを判定し、受信レベルがより高いアンテナを選択し、受信した信号を復調回路１８０８へと出力する。また、受信判定回路１８０４は、このときに選択したアンテナについての情報をドライバー回路１８０５へと出力する。ドライバー回路１８０５は、発光体１８０６に含まれる複数のランプの内、選択されたアンテナに予め割り当てられているランプを点灯させる。
【０００９】
図１９は、特許文献２に記載された従来の電波時計装置を示すブロック図である。図１９に示される電波時計装置は、電波を受信するアンテナ１９０１と、このアンテナ１９０１から出力された受信信号を増幅する２段の増幅器１９０２及び１９０４と、増幅器１９０２及び１９０４の出力信号の各々に選択性を付与するためのフィルタ１９０３及び１９０５と、後段のフィルタ１９０５の出力を整流する整流回路１９０６と、整流回路１９０６の整流出力を積分する積分回路１９０７と、微分回路１９０８と、コンパレータ１９０９と、マイクロコンピュータ１９１０と、時計表示用ＬＣＤ１９１１と、表示セグメント列１９１２とを備える。
【００１０】
積分回路１９０７からの出力は、三分され、増幅器１９０２及び１９０４の各々と、マイクロコンピュータのＡ／Ｄ変換入力端子１９１０Ｂとにそれぞれ入力されている。尚、積分回路１９０７からの出力が増幅器１９０２及び１９０４にフィードバックされているのは、増幅器１９０２及び１９０４の自動利得制御を行うためである。
【００１１】
また、微分回路１９０８からの出力は、コンパレータ１９０９を介して、マイクロコンピュータ１９１０のディジタル信号入力１９１０Ａに入力されている。
【００１２】
このように構成された電波時計装置において、マイクロコンピュータ１９１０は、Ａ／Ｄ変換入力端子１９１０Ｂからの入力信号を所定時間毎にサンプリングし、サンプリング信号をＡ／Ｄ変換して、アンテナ１９０１の受信信号レベルを算出する。そして、マイクロコンピュータ１９１０は、算出された受信信号レベルに応じて、表示セグメント列１９１２を点灯制御して、電波の受信強度を表示する。これにより、電波時計装置の使用者は、電波の受信強度を参照することが可能となる。
【特許文献１】特開平６−２１６６１８号公報
【特許文献２】特開平１０−２７４６８１号公報
【発明の開示】
【発明が解決しようとする課題】
【００１３】
上記の特許文献１及び２に記載された装置は、電波の一部が人体へ吸収されることによって生じた吸収損失と、アンテナのインピーダンスが変化することによって生じた不整合損失と、伝搬路の状態によって生じた伝搬損失とを区別することができない。そのため、無線通信装置の使用者は、どの程度の電波状態であるのかを把握することはできても、電波状態を向上するために、無線通信装置と人体の位置関係を変化させれば良いのか、端末を使用する場所を変化させれば良いのかを把握できないという問題があった。
【００１４】
本発明はこのような状況に鑑みてなされたもので、アンテナが人体に近接することにより生ずる特性劣化を表示し、使用者が容易に電波状態を向上させることが可能となる無線通信装置を提供することを目的とする。
【課題を解決するための手段】
【００１５】
第１の発明は、無線通信装置であって、少なくとも一つのアンテナ部と、少なくとも一つの出力部とを備え、人体近接によるアンテナ部の特性劣化量を、出力部に出力させるものである。
【００１６】
この場合、出力部は、発光素子を含み、発光素子の点灯の有無によって、特性劣化量を出力部に出力させても良い。
【００１７】
また、出力部は、その点灯色が変化し得る発光素子を含み、発光素子の点灯色によって、特性劣化量を出力部に出力させても良い。
【００１８】
また、出力部は、発光素子を含み、発光素子の点滅または点滅間隔によって、特性劣化量を出力部に出力させても良い。
【００１９】
また、出力部は、各々が発光素子を有する複数の領域を含み、特性劣化量に応じて、出力部の点灯面積を変化させても良い。
【００２０】
また、出力部は、振動素子を含み、特性劣化量に応じて、振動素子による振動を変化させても良い。
【００２１】
また、出力部は、音を出力することができる音孔部またはスピーカを含み、特性劣化量に応じて、出力部から出力する音の音量または音の種類または音の出力間隔を変化させても良い。
【００２２】
また、出力部は、ディスプレイを含み、特性劣化量をディスプレイに表示させても良い。
【００２３】
また、無線通信装置は、特性劣化量の測定を開始させる少なくとも１つのスタートボタンを更に備えても良い。
【００２４】
また、スタートボタンは、タッチパネルを含み、タッチパネルによる物体の接触の検知に基づいて、特性劣化量の測定を開始させても良い。
【００２５】
また、スタートボタンは、温度センサを含み、温度センサによる温度変化の検知に基づいて、特性劣化量の測定を開始させても良い。
【００２６】
また、スタートボタンは、光センサを含み、光センサによる光量変化の検知に基づいて、特性劣化量の測定を開始させても良い。
【発明の効果】
【００２７】
本発明の無線通信装置によれば、人体近接により生じる不整合損失の大きさを出力する少なくとも１つの出力部を備えることにより、使用者が人体近接による特性劣化と伝搬損による特性劣化を区別することができるため、使用時に、通信品質が向上するような無線通信装置と人体との位置関係を把握することが可能となる。また、無線通信装置において、指等の人体の一部が触れることによって大きく特性が劣化し得る部分を示すことができるため、使用時に、当該部位に接触しないように注意を促すことが可能となる。
【発明を実施するための最良の形態】
【００２８】
以下、本発明の各実施形態について、図面を参照しながら説明する。なお、各実施形態は、一例を示したものであり、本発明は、各実施形態にのみ限定されるものではない。
【００２９】
（実施の形態１）
図１は、本発明の第１の実施形態に係る無線通信装置の概略構成を示す図であり、図１（ａ）は、正面図であり、図１（ｂ）は、側面図である。図１（ａ）及び（ｂ）に示される無線通信装置１０１は、上側筐体１０２、下側筐体１０３、ヒンジ部１０４、第１のアンテナ１０５、第２のアンテナ１０６、第１の発光部１０７、第２の発光部１０８、ディスプレイ１０９、音孔部１１０、マイク１１１及びキー１１２を備える。上側筐体１０２と下側筐体１０３とは、ヒンジ部１０４を介して折り畳み可能となるように接続されている。第１のアンテナ１０５と第２のアンテナ１０６とは、ヒンジ部１０４に取り付けられている。
【００３０】
第１の発光部１０７と第２の発光部１０８とは、上側筐体１０２上における第１のアンテナ１０５の近傍と第２のアンテナ１０６の近傍とにそれぞれ配置され、第１のアンテナ１０５および第２のアンテナ１０６が人体に近接した際に生じる特性劣化量を表示する。  また、無線通信装置１０１の情報を表示するディスプレイ１０９は、上側筐体１０２と下側筐体１０３とを折り畳んだときに内部に収納されるように、上側筺体１０２に取り付けられている。通話時に相手の音声を出力する音孔部１１０は、上側筐体１０２上において、ディスプレイ１０９を隔ててヒンジ部１０４と反対側の部分に配置されている。マイク１１１は、下側筐体１０３上において、ヒンジ部１０４と反対側となる下端部に配置されている。キー１１２は、上側筐体１０２と下側筐体１０３とを折り畳んだときに内部に収納されるように、下側筐体１０３に配置されている。
【００３１】
図２は、図１に示される無線通信装置の使用状態を示す図である。図２（ａ）及び（ｂ）は、メール機能やインターネット機能等を利用する際の無線通信装置１０１の保持姿勢の一例を示したものであって、例えば右手で端末を保持し、右手の親指によってキー操作をする状態を示している。
【００３２】
まず、図２（ａ）に示される使用状態では、使用者の人差し指が、無線通信装置１０１のヒンジ部１０４に装着された第１のアンテナ１０５に接触している。この場合、第１のアンテナ１０５が人指し指に近接することにより、第１のアンテナ１０５の特性が大きく劣化するので、第１のアンテナ１０５の近傍に配置された第１の発光部１０７は、発光していない。一方、第２のアンテナ１０６は、人体近接による特性劣化が小さいため、第２のアンテナ１０６の近傍に配置された第２の発光部１０８は、発光している。
【００３３】
使用者は、第１の発光部１０７が発光していないことを参照して、図２（ｂ）に示されるように、第１のアンテナ１０５から人指し指が離れるように、無線通信装置１０１の保持姿勢を変化させる。すると、第１のアンテナ１０５の人体近接による特性劣化が小さくなるため、第１のアンテナ１０５は、通信が可能な状態に復帰する。また、第１のアンテナ１０５の状態に応じて、第１の発光部１０７は発光状態となる。
【００３４】
図３は、本発明の第１の実施形態に係る無線通信装置の変形例を示す図であり、図３（ａ）は、正面図であり、図３（ｂ）は、側面図である。図３（ａ）及び（ｂ）に示される無線通信装置３０１は、第１の内蔵アンテナ３０２及び第２の内蔵アンテナ３０３を備える。本発明は、このような内蔵アンテナを備えた無線通信装置において、特に効力を発する。
【００３５】
図３（ａ）及び（ｂ）において破線で示されるように、第１の内蔵アンテナ３０２は、無線通信装置３０３のヒンジ部１０４の内部に配置され、第２の内蔵アンテナ３０３は無線通信装置３０３の上側筐体３０６の内部に配置されている。第１の発光部３０４は、ヒンジ部１０４上であって第１の内蔵アンテナ３０２の近傍に配置され、第２の発光部３０５は、上側筐体３０６上であって第２の内蔵アンテナ３０３の近傍に配置されている。
【００３６】
図４は、図３に示される無線通信装置の使用状態を示す図である。図４（ａ）及び（ｂ）は、メール機能やインターネット機能等を利用する際の無線通信装置３０１の保持姿勢の一例を示したものであって、例えば右手で端末を保持し、右手の親指によってキー操作をする状態を示している。
【００３７】
まず、図４（ａ）に示される使用状態では、使用者は、無線通信装置３０１のヒンジ部１０４内に格納された第１の内蔵アンテナ３０２を人指し指で覆うように保持している。この場合、第１の内蔵アンテナ３０２は、人指し指に覆われることによって、大きく特性劣化が生じるため、第１の発光部３０４は、発光しない。一方、第２の発光部３０５は、人体近接による特性劣化が小さいため、発光状態である。
【００３８】
図１に示される例のように、外部アンテナを備える無線通信装置であれば、使用者は発光部の非点灯状態に応じて、外部アンテナから指を離して発光部の点灯を確認する。しかし、無線通信装置３０１のように、内蔵アンテナを備える場合、一般的に、使用者は、無線通信装置のどこにアンテナが内蔵されているか知り得ない。そこで、使用者は、無線通信装置３０３において、第１の発光部３０４の非点灯状態を参照することによって、第１の発光部３０４の付近から指を遠ざけるように、保持姿勢を変化させる。例えば、図４（ｂ）のように人指し指を伸ばして、第１の内蔵アンテナ３０２から人指し指を離すように保持姿勢を変化させると、人体近接による特性劣化が小さくなるため、第１の内蔵アンテナ３０２は、通信が可能な状態に復帰する。第１の内蔵アンテナ３０２の状態に応じて、第１の発光部３０４は発光状態となる。
【００３９】
図５は、本発明の第１の実施形態に係る無線通信装置のブロック図である。図５に示される無線通信装置５０１は、アンテナが人体近接した際に生じる不整合損失を表示することができる。図５に示される無線通信装置５０１は、送信回路５０２、方向性結合器５０３、アンテナ５０４、信号強度検出回路５０５、コンパレータ５０６、表示部駆動手段５０７、表示部５０８を備える。
【００４０】
送信回路５０２が出力した信号は、方向性結合器５０３を経てアンテナ５０４より放射される。人体が無線通信装置５０１に近接すると、インピーダンスの整合が取れた状態からずれるため、アンテナ５０４から送信回路５０２に向けて信号が反射する。この反射した信号は、方向性結合器５０３を経て信号強度検出回路５０５へ出力される。信号強度検出回路５０５は、入力された信号（信号Ｂ）を数値化する。コンパレータ５０６は、送信回路５０２の信号Ａと信号Ｂとを比較する。表示部駆動手段５０７は、予め閾値を記憶しており、コンパレータ５０６での比較結果（信号Ｃ）と閾値とに基づいて、表示部５０８の発光素子を発光させる。尚、図５に示されるブロック図は一例であって、これに限定されるものではない。
【００４１】
図６は、本発明の第１の実施形態に係る無線通信装置における電波受信特性の変化を示す図である。尚、図６の説明においては、無線通信装置が、アンテナＡ、アンテナＢ、アンテナＣおよびアンテナＤの４本のアンテナを備える場合を想定する。また、無線通信装置は、水平面に対する無線通信装置の仰角と対応して、各アンテナの自由空間中における平均受信電力を記憶している。
【００４２】
図６（ａ）は、無線通信装置がある仰角をなすように配置されたときの各アンテナの平均受信電力を示し、図６（ｂ）は、実際の使用時における各アンテナの受信電力を示す。
【００４３】
ここで、アンテナＣに着目すると、アンテナＣは自由空間中での平均受信電力が「５」であるのに対して（図６（ａ））、使用時におけるアンテナの受信電力は、「７」であり（図６（ｂ））、平均受信電力より「２」だけ高い値を示す。そこで、まず、図６（ｂ）の各アンテナの受信電力から「２」だけ差し引く。この結果をその結果を表１に示す。
【表１】
2007036346.tif 000003
【００４４】
更に、図６（ａ）に示される各アンテナの平均受信電力から、表１に示される数値を差し引く。この結果を表２に示す。
【表２】
2007036346.tif 000004
【００４５】
上記のようにして求められた表２の値が各アンテナの人体近接による特性劣化量の相対比較であると考えられるので、表２の値に応じて、表示部への表示が行われる。表２において最も値が小さいアンテナは、人体による影響が小さいため、このアンテナを基準とすることで各アンテナの人体に近接することにより生ずる特性劣化量を定量化することが可能となる。また、使用者が表示部を確認することによって、使用者は、受信時にアンテナが人体に近接することによって生じる特性劣化量を知ることが可能となる。
【００４６】
尚、図６における構成は一例であって、これに限定されるものではない。例えば、アンテナの本数は２本以上であれば、同じ効果が得られることはいうまでもない。
【００４７】
また、発光部に用いられる発光素子としては、代表的な例としてＬＥＤが挙げられるが、ＬＥＤ以外のあらゆる発光素子を用いても、発光部を構成することが可能であることは言うまでもない。
【００４８】
また、本実施形態では、アンテナが通信に使用可能な場合、発光部が発光し、通信に使用不可能な場合、発光部は非発光となる構成について説明したが、発光素子による表示方法は、この例に限定されるものではなく、多くのパターンが考えられる。例えば、アンテナが通信に使用可能な場合、発光部を非発光とし、通信に使用可能な場合、発光部を発光させるように構成しても、使用者は、人体近接により生ずるアンテナの特性劣化量を視覚的に知ることが可能となる。
【００４９】
更に、発光素子による表示方法の別の例として、例えば、輝度を調整自在の一色の発光素子によって受信レベルに応じた濃淡分けをし、表示濃度を変化させるように構成しても、使用者は、人体近接により生ずるアンテナの特性劣化量を視覚的に知ることが可能となる。
【００５０】
更に、発光素子による表示方法の別の例として、例えば、赤、黄、青の三色の発光素子を設け、通信不能である場合が赤、信号が半分となった場合が黄、通信が良好に行える場合が青といったように、表示色を変化させるように構成しても、使用者は、人体近接により生ずるアンテナの特性劣化量を視覚的に知ることが可能となる。
【００５１】
更に、発光素子による表示方法の別の例として、例えば、発光素子を点滅させるように構成しても、使用者は、人体近接により生ずるアンテナの特性劣化量を視覚的に知ることが可能となる。
【００５２】
更に、発光素子による表示方法の別の例として、例えば、発光素子の点滅間隔を受信レベルに応じて段階分けするように構成しても、使用者は、人体近接により生ずるアンテナの特性劣化量を視覚的に知ることが可能となる。
【００５３】
図７は、発光部の他の一例を示す図である。上記の第１の実施形態においては、図１に示されるように、円形の発光部が用いられていたが、発光部は、円形以外のあらゆる形状を有していても良い。無線通信装置は、図７に示されるような、１０分割された発光部７０１を備えても良い。このような無線通信装置によれば、使用者は、人体近接により生ずるアンテナの特性劣化量を視覚的に知ることが可能となる。分割数が変化しても同じ効果が得られることはもちろんである。
【００５４】
図８は、発光部の他の一例を示す図である。無線通信装置は、例えば、図８に示されるように、複数の発光体が並列に配置された発光部８０１を備えていても良い。このような無線通信装置によれば、レベルに応じて発光体の発光本数が変化するので、使用者は、人体近接により生ずるアンテナの特性劣化量を視覚的に知ることが可能となる。更に、各々の発光体の長さを変化させておけば、使用者は、瞬時に不整合損失による特性劣化の大きさを知ることが可能となる。例えば発光体としては、光ファイバが挙げられる。
【００５５】
図９は、発光部の他の一例を示す図である。無線通信装置は、例えば、図９に示されるように、受信レベルに応じて発光する部位が変化する発光部９０１を備えていても良い。このような発光部９０１によっても、使用者は、人体近接により生ずるアンテナの特性劣化量を視覚的に知ることが可能となる。
【００５６】
更に、本実施形態では、図１に示されるように、第１の発光部１０７及び第２の発光部１０８は、上側筐体１０２に設けられているが、これに限定されるものではない。例えば、発光部は、下側筐体１０３に発光部を設けられていても、同じ効果が得られることはもちろんである。
【００５７】
更に、本実施形態では、図１に示されるように、第１の発光部１０７及び第２の発光部１０８は、上側筐体１０２の平面部分に設けられているが、例えば、発光部は、無線通信装置１０１の側面に設けられていても、同じ効果が得られることはもちろんである。
【００５８】
更に、本実施形態では、図１に示されるように、第１の発光部１０７及び第２の発光部１０８は、上側筐体１０２に設けられているが、例えば、発光部は、無線通信装置１０１の上面または下面に設けられていても、同じ効果が得られることはもちろんである。
【００５９】
更に、本実施形態では、図１に示されるように、第１の発光部１０７及び第２の発光部１０８は、上側筐体１０２に設けられているが、例えば、アンテナにアクリル等の透過性があり誘電率の低い物体と発光素子とを設け、アンテナ自体が発光するように構成しても、同じ効果が得られることはもちろんである。
【００６０】
更に、本実施形態では、図１に示されるように、第１の発光部１０７及び第２の発光部１０８は、上側筐体１０２に設けられているが、例えば、上側筐体１０２及び下側筐体１０３を透明な材料によって形成し、無線通信装置全体が発光するように構成しても、同じ効果が得られることはもちろんである。
【００６１】
更に、本実施形態では、図１に示されるように、第１の発光部１０７及び第２の発光部１０８は、上側筐体１０２に設けられているが、例えば、複数の発光部を上側筐体１０２や下側筐体１０３等、様々の部位に設けても、同じ効果が得られることはもちろんである。
【００６２】
更に、使用者が触れることによって、特性が大きく劣化し得る部位に発光部を設けておけば、使用者が特性を大きく劣化する部位に触れることを抑制することが可能となる。
【００６３】
更に、本実施形態では、特性劣化量を出力するための出力部として、発光素子を含む発光部が設けられているが、無線通信装置は、発光部以外の出力部を備えていても良い。例えば、振動素子を含み、振動素子による振動の強度や振動の間隔を変化させるように無線通信装置を構成しても、使用者が人体近接により生ずるアンテナの特性劣化量を体感的に知ることが可能となる。特性劣化量を出力するために発光素子が用いられる場合、発光素子が視角に入る場合にのみ特性劣化を認識することができるが、振動素子が用いられていれば、通話姿勢にある場合等のあらゆる状況において、使用者に人体近接により生ずるアンテナの特性劣化量を知らせることが可能となる。
【００６４】
更に、本実施形態では、特性劣化量を出力するための出力部として、発光素子を含む発光部が設けられているが、無線通信装置は、発光部以外の出力部を備えていても良い。例えば、音の強度や音の間隔を変化させるように無線通信装置を構成しても、使用者が人体近接により生ずるアンテナの特性劣化量を聴覚的に知ることが可能となる。特性劣化量を出力するために発光素子が用いられる場合、発光素子が視角に入る場合にのみ特性劣化を認識することができるが、音を出力することができる出力部が用いられていれば、通話姿勢にある場合等のあらゆる状況において、使用者に人体近接により生ずるアンテナの特性劣化量を知らせることが可能となる。
【００６５】
更に、本実施形態では、特性劣化量を出力するための出力部として、発光素子を含む発光部が設けられているが、無線通信装置は、発光部以外の出力部を備えていても良い。例えば、端末に加熱コイルを備えるように無線通信装置を構成しても、使用者が人体近接により生ずるアンテナの特性劣化量を感覚的に知ることが可能となる。特性劣化量を出力するために発光素子が用いられる場合、発光素子が視角に入る場合にのみ特性劣化を認識することができるが、加熱コイルが用いられていれば、通話姿勢にある場合等のあらゆる状況において、使用者に人体近接により生ずるアンテナの特性劣化量を知らせることが可能となる。
【００６６】
図１０は、特性劣化量を表示するため表示部の一例を示す図である。無線通信装置は、例えば、図１０に示されるように、回動自在に取り付けられた指示棒１００２を有する表示部１００１を備えていても良い。このような構成によれば、受信レベルに応じて指示棒１００２が回動することによって、使用者が人体近接により生ずるアンテナの特性劣化量を視覚的に知ることが可能となる。
【００６７】
図１１は、本実施形態に係る無線通信装置の形態の一例を示す図であり、図１２は、本実施形態に係る無線通信装置の形態の他の一例を示す図である。本発明は、図１においては、折りたたみ可能な形態を有する無線通信装置に適用されていたが、他の形態を有する無線通信装置に適用することも可能である。本発明は、例えば、図１１に示されるようなストレート形状を有する無線通信装置１１０１や、図１２に示されるような回転機構１２０２を備える形状を有する無線通信装置１２０１にも同様に適用することができるのは、言うまでもない。
【００６８】
また、本実施形態では、本発明は、折り畳み可能な無線通信装置の場合に適用されているが、他の構成を有するの無線通信装置にも同様に適用することが可能である。本発明は、例えば、セパレートタイプの無線通信装置や、リモコンを備える無線通信装置にも同様に適用できる。このような構成によれば、通話姿勢等においても視覚的な表示により、使用者に人体近接により生ずるアンテナの特性劣化量を知らせることが可能となる。
【００６９】
更に、本実施形態に係る無線通信装置のアンテナとして、例えば、ヘリカルアンテナ、ホイップアンテナ、逆Ｆアンテナ、チップアンテナ、メヤンダラインが挙げられるが、これに限定されるものではなく、いかなるアンテナが用いられていても良い。
【００７０】
更に、本実施形態では、メール機能やインターネット機能を利用する際の無線通信装置の保持姿勢について述べたが、これに限定されるものではない。例えば、通話姿勢においても同じ効果が得られることは言うまでもない。
【００７１】
更に、本実施形態では、発光部の各々をアンテナの各々の近傍に配置したが、これに限定されるものではない。内蔵アンテナの配置位置を無線通信装置の表面に描いておけば、使用者は内蔵アンテナの位置を把握できるため、発光部をアンテナの近傍以外に設けることも可能となる。その際、発光部とアンテナとの対応を把握可能にする必要がある。
【００７２】
更に、本実施形態では、発光部の各々をアンテナの各々の近傍に配置したが、これに限定されるものではない。内蔵アンテナの配置位置を無線通信装置の取り扱い説明書に記載しておけば、使用者は、内蔵アンテナの位置を把握できるため、発光部をアンテナの近傍以外に設けることが可能となる。その際、発光部とアンテナとの対応を把握可能にする必要がある。
【００７３】
図１３は、無線通信装置における発光部の配置の一例を示す図であり、図１４は、無線通信装置における発光部の配置の他の一例を示す図である。尚、図１３及び図１４の（ａ）は、正面図であり、（ｂ）は、側面図である。図１に示される例では、アンテナの数と発光部の数が同一の場合について説明したが、これに限定されるものではない。図１３に示される無線通信装置１３０１のように、一本のアンテナ１３０５に対して、第１〜第３の発光部１３０２〜１３０４を設けても良い。また、図１４に示される無線通信装置１４０１のように、３本の第１〜第３のアンテナ１４０３〜１４０５に対して、一つの発光部１４０２を設けても良い。
【００７４】
図１５は、スタートボタンを備える無線通信装置の一例を示す図であり、図１５（ａ）は、正面図であり、図１５（ｂ）は、側面図である。図１５に示される無線通信装置１５０１は、アンテナが人体に近接した際に生じる特性劣化量を表示部に表示させるスタートボタン１５０２を備える。使用者がスタートボタン１５０２を押すことによって、無線通信装置１５０１は、特性劣化量を測定し表示部に表示させる。
【００７５】
図１６は、スタートボタンを備える無線通信装置の他の一例を示す図であり、図１６（ａ）は、正面図であり、図１６（ｂ）は、側面図である。特性劣化量の測定をスタートさせる方法としては、様々なバリエーションが考えられる。例えば、図１６に示されるように、無線通信装置１６０１は、スタートボタンとして、タッチセンサ１６０２を備える。使用者が無線通信装置１６０１を把持し、タッチパネルに人体の一部が触れると、無線通信装置１６０１は、タッチパネルによる接触の検知に基づいて、特性劣化量の測定及び出力を開始させる。
【００７６】
尚、無線通信装置に、特性劣化量の測定及び出力を開始させる方法としては、沢山のバリエーションが考えられる。例えば、無線通信装置は、温度センサを備えていても良い。使用者が無線通信装置を把持すると、無線通信装置は、温度センサによる温度変化の検知に基づいて、特性劣化量の測定及び出力を開始させる。
【００７７】
また、例えば、折り畳み型自在の上側筐体及び下側筐体を備える無線通信装置を、筐体同士を開いたときに、測定をスタートするように構成しても、同じ効果が得られることは言うまでもない。
【００７８】
更に、例えば、無線通信装置に光センサを設けておき、光センサによる光量の変化に基づいて、無線通信装置が測定をスタートするように構成しても良い。このような構成によれば、使用者が、バックやポケット等の暗闇から外に無線通信装置を出した際に、自動的に特性劣化量の測定及び出力を開始することが可能となる。
【００７９】
更に、例えば、着信やメールの送受信を行った際に測定をスタートするように無線通信装置を構成しても、同じ効果が得られることは言うまでもない。
【００８０】
更に、例えば、ＴＶ機能を実行した際に測定をスタートするように無線通信装置を行使しても、同じ効果が得られることは言うまでもない。
【００８１】
更に、例えば、写真を送信する際に測定をスタートするように無線通信装置を構成しても、同じ効果が得られることは言うまでもない。
【００８２】
更に、例えば、外部アンテナを伸縮した際に測定をスタートするように無線通信装置を構成しても、も同じ効果が得られることは言うまでもない。
【００８３】
更に、例えば、通信可能圏外から通信可能圏内に移動した際に測定をスタートするように無線通信装置を構成しても、同じ効果が得られることは言うまでもない。
【００８４】
更に、例えば、ある時間内に規定回数以上のキー操作があった際に測定をスタートするように無線通信装置を構成しても同じ効果が得られることは言うまでもない。
【００８５】
図１７は、ディスプレイに特性劣化量を表示する無線通信装置を示す正面図である。図１に示される例では、出力部として発光素子を含む発光部が設けられているが、これに限定されるものではない。例えば、図１７に示される無線通信装置１７０１のように、ディスプレイまたはサブディスプレイの全面または一部分に、アンテナの部位が記された無線通信装置の画像と、各アンテナの特性劣化量とを表示すれば、使用者が人体近接により生ずるアンテナの特性劣化量を視覚的に知ることが可能となる。
【産業上の利用可能性】
【００８６】
本発明に係る無線通信装置は、人体の接触に起因する特性劣化を判別することができるという特徴を有するので、例えば携帯電話装置のように、人体の一部に接触した状態で使用される無線通信装置に有用である。
【図面の簡単な説明】
【００８７】
【図１】本発明の第１の実施形態に係る無線通信装置の概略構成を示す図
【図２】図１に示される無線通信装置の使用状態を示す図
【図３】本発明の第１の実施形態に係る無線通信装置の変形例を示す図
【図４】図３に示される無線通信装置の使用状態を示す図
【図５】本発明の第１の実施形態に係る無線通信装置のブロック図
【図６】本発明の第１の実施形態に係る無線通信装置における電波受信特性の変化を示す図
【図７】発光部の他の一例を示す図
【図８】発光部の他の一例を示す図
【図９】発光部の他の一例を示す図
【図１０】特性劣化量を表示するため表示部の一例を示す図
【図１１】本実施形態に係る無線通信装置の形態の一例を示す図
【図１２】本実施形態に係る無線通信装置の形態の他の一例を示す図
【図１３】無線通信装置における発光部の配置の一例を示す図
【図１４】無線通信装置における発光部の配置の他の一例を示す図
【図１５】スタートボタンを備える無線通信装置の一例を示す図
【図１６】スタートボタンを備える無線通信装置の他の一例を示す図
【図１７】ディスプレイに特性劣化量を表示する無線通信装置を示す正面図
【図１８】従来の無線通信装置を示すブロック図
【図１９】従来の電波時計装置を示すブロック図
【符号の説明】
【００８８】
１０１  無線通信装置
１０２  上側筐体
１０３  下側筐体
１０４  ヒンジ部
１０５  第１のアンテナ
１０６  第２のアンテナ
１０７  第１の発光部
１０８  第２の発光部
１０９  ディスプレイ
１１０  音孔部
１１１  マイク
３０１  無線通信装置
３０２  第１の内蔵アンテナ
３０３  第２の内蔵アンテナ
３０４  第１の発光部
３０５  第２の発光部
３０６  上側筐体
５０１  無線通信装置
５０２  送信回路
５０３  方向性結合器
５０４  アンテナ
５０５  信号強度検出回路
５０６  コンパレータ
５０７  表示機駆動手段
５０８  表示部
７０１  発光部
８０１  発光部
９０１  発光部
１００１  表示部
１００２  指示棒
１１０１  無線通信装置
１１０２  アンテナ
１１０３  発光部
１１０４  ディスプレイ
１１０５  音孔部
１１０６  マイク
１１０７  キー
１２０１  無線通信装置
１２０２  回転機構
１３０１  無線通信装置
１３０２  第１の発光部
１３０３  第２の発光部
１３０４  第３の発光部
１３０５  アンテナ
１４０１  無線通信装置
１４０２  発光部
１４０３  第１のアンテナ
１４０４  第２のアンテナ
１４０５  第３のアンテナ
１５０１  無線通信装置
１５０２  スタートボタン
１６０１  無線通信装置
１６０２  タッチセンサ
１７０１  無線通信装置
１８０１  アンテナアレイ
１８０２  第１受信回路
１８０３  第２受信回路
１８０４  受信判定回路
１８０５  ドライバー回路
１８０６  発光体
１８０７  送信回路
１８０８  復調回路
１９０１  アンテナ
１９０２  増幅器
１９０３  フィルタ
１９０４  増幅器
１９０５  フィルタ
１９０６  整流回路
１９０７  積分回路
１９０８  微分回路
１９０９  コンパレータ
１９１０  マイクロコンピュータ
１９１０Ａ  ディジタル信号入力
１９１０Ｂ  Ａ／Ｄ変換入力
１９１１  時計表示用ＬＣＤ
１９１２  表示セグメント列
【図１】
2007036346.tif 000005
【図２】
2007036346.tif 000006
【図３】
2007036346.tif 000007
【図４】
2007036346.tif 000008
【図５】
2007036346.tif 000009
【図６】
2007036346.tif 000010
【図７】
2007036346.tif 000011
【図８】
2007036346.tif 000012
【図９】
2007036346.tif 000013
【図１０】
2007036346.tif 000014
【図１１】
2007036346.tif 000015
【図１２】
2007036346.tif 000016
【図１３】
2007036346.tif 000017
【図１４】
2007036346.tif 000018
【図１５】
2007036346.tif 000019
【図１６】
2007036346.tif 000020
【図１７】
2007036346.tif 000021
【図１８】
2007036346.tif 000022
【図１９】
2007036346.tif 000023